(57)【特許請求の範囲】
【請求項１】
電力ケーブルを通す空洞を有して、マンホールの側壁に形成されたケーブル挿通路に配置されるケーブル挿通体と、
該ケーブル挿通体を、前記マンホール内で開口する前記ケーブル挿通路の開口端に対して所定位置まで押し込んで固定するための挿通体装着具と、
前記開口端に対応する位置において前記マンホール内に配置されて、該マンホール内に導入された前記電力ケーブルが挿通される筒体であって、内径が前記開口端側に比べて前記開口端反対側を順次大径とするよう形成されている筒体と、を備え、
前記挿通体装着具は、
前記ケーブル挿通体から前記ケーブル挿通路の前記開口端に向かって延出する横板部と、前記横板部の先端から前記ケーブル挿通路の径方向外側に向かって延出する縦板部とを含む押圧体を有し、
前記縦板部は、前記筒体から前記ケーブル挿通路の前記開口端側に離れた位置で、前記側壁における前記ケーブル挿通路の開口端周りの周囲外壁に対して非固定の状態で当接させるように構成されることを特徴とする電力ケーブル支持装置。
【請求項２】
前記縦板部は、前記側壁における前記開口端の周囲外壁面に対応する位置まで前記ケーブル挿通体を前記ケーブル挿通路に押し込んだ際に、前記ケーブル挿通体の押し込み位置の基準となることを特徴とする請求項１に記載の電力ケーブル支持装置。
【請求項３】
前記ケーブル挿通体は、防水栓であることを特徴とする請求項１又は請求項２に記載の電力ケーブル支持装置。
【発明の詳細な説明】
【技術分野】
【０００１】
本発明は、マンホール内に配線された電力ケーブルを支持する電力ケーブル支持装置に関する。
【背景技術】
【０００２】
特許文献１に記載されているように、都市部には、電力ケーブルがケーブル挿通路に通された状態で地下に埋設されており、電力ケーブルの途中部分は、事故発生時の点検などの対応のために、マンホール内で接続されている。そして、マンホール内を通る電力ケーブルには、負荷変動に伴う電力ケーブルの熱伸縮に備えるために、余長が設けられている。このような電力ケーブルの余長は、オフセットと称される。
【０００３】
ところで、電力供給事情などにより、電力ケーブルは張り替えられることがある。その際には、電力ケーブルの線種が変更されたり、電力ケーブルのサイズ（太さ）が変更されたりする。そうなると、内部空間の大きさが画定されているマンホールにおいては、必要なオフセットが確保できない場合が生じる。このような場合では、マンホールを拡幅するよう施工し直して、電力ケーブルのオフセットを確保するようにしている。
【先行技術文献】
【特許文献】
【０００４】
【特許文献１】特開２００６−２６２６６３号公報
【発明の概要】
【発明が解決しようとする課題】
【０００５】
しかしながら、マンホールを施工し直すには、地盤の掘削作業やマンホール駆体の取り壊し作業が必要であることに加え、周辺地権者への工事説明が必要であるなど、多くの時間と手間が必要である。
【０００６】
そこで、本発明は、電力ケーブルの張替に伴うオフセットの確保を、既設のマンホールを用いて極めて容易に行い得るようにした電力ケーブル支持装置を提供することを目的とする。
【課題を解決するための手段】
【０００７】
本発明に係る電力ケーブル支持装置は、電力ケーブルを通す空洞を有して、マンホールの側壁に形成されたケーブル挿通路に配置されるケーブル挿通体と、該ケーブル挿通体を、前記マンホール内で開口するケーブル挿通路の開口端に対して所定位置まで押し込んで固定するための挿通体装着具と、を備えたことを特徴とする。
【０００８】
本発明の電力ケーブル支持装置では、電力ケーブルの張替えにあたり、ケーブル挿通路を通してマンホール内に導出された電力ケーブルに対して必要なオフセットを確保する場合、マンホール内においてケーブル挿通体の空洞に電力ケーブルを通し、電力ケーブルを通したケーブル挿通体を、挿通体装着具を用いてケーブル挿通路の開口端からケーブル挿通路内の所定位置まで押し込むようにすることで、既設のマンホールを用いて、ケーブル挿通体の位置をオフセットの基準位置として電力ケーブルにおける必要なオフセット量を確保させられる。
【０００９】
本発明に係る電力ケーブル支持装置の一態様として、前記挿通体装着具は、前記ケーブル挿通体における前記開口端側の面である被押圧面に当接される当接体と、押圧体とさらに備え、該押圧体は、横板部と縦板部とを備え、前記横板部は、前記当接体における前記開口端側の面に取り付けられて前記ケーブル挿通路の長手方向に沿っており、前記縦板部は、前記横板部における前記開口端側に取り付けられて前記横板部に直交する縦方向に沿っていることが好ましい。
【００１０】
かかる構成の電力ケーブル支持装置では、挿通体装着具の当接体を、ケーブル挿通体における開口端側の面である被押圧面に当接させ、当接体に挿通体装着具の押圧体の横板部を取り付けた状態で押圧体の縦板部を押圧するようにして、ケーブル挿通体をケーブル挿通路内の所定位置まで押し込む。
【００１１】
本発明に係る電力ケーブル支持装置の他態様として、前記縦板部は、前記側壁における前記開口端の周囲外壁面に対応する位置まで前記ケーブル挿通体を前記ケーブル挿通路に押し込んだ際に、前記ケーブル挿通体の押し込み位置の基準となることが好ましい。
【００１２】
かかる構成の電力ケーブル支持装置では、挿通体装着具の縦板部がマンホールの側壁における開口端の周囲外壁面に対応する位置までケーブル挿通体を押し込むことで、縦板部をケーブル挿通体の押し込み位置の基準として用いることができる。
【００１３】
本発明に係る電力ケーブル支持装置の他態様として、前記開口端に対応する位置においてマンホール内に配置されて、該マンホール内に導入された前記電力ケーブルが挿通される筒体を備え、該筒体の内径は、前記開口端側に比べて前記開口端反対側を順次大径とするよう形成されていることが好ましい。
【００１４】
かかる構成によれば、筒体の内径が、開口端側に比べて前記開口端反対側ほど順次大径とされていることで、マンホール内に導入された電力ケーブルの急激な角度変化が抑制される。
【００１５】
前記ケーブル挿通体は、防水栓であることが好ましい。
【００１６】
かかる構成によれば、ケーブル挿通路の内周面とケーブル挿通体の外周面との間隙の水密性、およびケーブル挿通体の空洞の内周面と電力ケーブルの外周面との水密性を確保できる。
【発明の効果】
【００１７】
以上のように、本発明によれば、電力ケーブルの張替に伴うオフセットの確保を、既設のマンホールを用いて極めて容易に行うことができる、といった優れた効果を奏し得る。
【図面の簡単な説明】
【００１８】
【図１】図１は、本発明の一実施形態に係る電力ケーブル支持装置の全体を示す断面図。
【図２】図２は、同実施形態に係る電力ケーブル支持装置の要部を示す拡大断面図。
【図３】図３は、防水栓および挿通体装着具を示す側面図。
【図４】図４は、図３の正面図。
【発明を実施するための形態】
【００１９】
本発明の一実施形態に係る電力ケーブル支持装置について図面を参照して説明する。なお、本実施形態では、以下の説明において、電力ケーブルを単にケーブルと称する。
【００２０】
まず、本実施形態に係る電力ケーブル支持装置１を説明するに先立って、マンホールの構造について説明する。該マンホール２は、例えば図１及び図２に示すように、縦穴部２ａと、該縦穴部２ａの下側に形成されたケーブル接続用筐体３とを備える。
【００２１】
マンホール２の側壁、すなわちケーブル接続用筐体３の側壁には、電源側のケーブルＣ１〜Ｃ３、および負荷側のケーブルＣ１０〜Ｃ３０を挿通する管体Ｐの管路が形成され、該複数の管路のそれぞれが、ケーブルＣ１〜Ｃ３，Ｃ１０〜Ｃ３０を挿通するためのケーブル挿通路４となっている。
【００２２】
具体的に、ケーブル挿通路４は、電源側のケーブル挿通路４０と負荷側のケーブル挿通路４１とを有し、電源側のケーブル挿通路４０には、電源側のケーブルＣ１〜Ｃ３が配線され、負荷側のケーブル挿通路４１には、負荷側ケーブルＣ１０〜Ｃ３０が配線される。また、それぞれのケーブル挿通路４の開口端４ａには、後述の電力ケーブル支持装置１が設けられる。
【００２３】
また、マンホール２内の略中央部には接続箱５が配置される。該接続箱５は、電源側ケーブルＣ１〜Ｃ３と、負荷側ケーブルＣ１０〜Ｃ３０とを電気的に接続するための箱体である。
【００２４】
つぎに本実施形態に係る電力ケーブル支持装置１について図２〜図４を参照して説明する。該電力ケーブル支持装置１は、ケーブル挿通体としての防水栓６と、該防水栓６をマンホール２内で開口するケーブル挿通路４の開口端４ａに対して所定位置まで押し込んで固定するための挿通体装着具７と、ケーブル挿通路４の開口端４ａに対応する位置に配置され、且つ防水栓６からマンホール２内に導入されたケーブルＣ１〜Ｃ３，Ｃ１０〜Ｃ３０が挿通される筒体８と、該筒体８を開口端４ａから所定の距離離間した位置で支持するアングル材９とを備える。
【００２５】
防水栓６は、ケーブルＣ１〜Ｃ３，Ｃ１０〜Ｃ３０とケーブル挿通路４との水密性を確保するシール部材６０を備える。そして、防水栓６と挿通体装着具７は、締結部材によって締結されている。
【００２６】
シール部材６０は、環状のゴム製のパッキン６００と、該パッキン６００の両側に配置された一対の押さえ板６０１，６０１と、を備える。
【００２７】
パッキン６００の空洞６００ａには、電源側ケーブルＣ１〜Ｃ３、負荷側ケーブルＣ１０〜Ｃ３０が挿通される。パッキン６００の前部および後部には、一対の押さえ板６０１，６０１を当接可能な被押圧面６０２が形成される。
【００２８】
挿通体装着具７は、電源側のケーブル挿通路４０の開口端４ａおよび負荷側のケーブル挿通路４１の開口端４ａのそれぞれに配置されている。具体的に、挿通体装着具７は、押さえ板６０１の被押圧面６０２の上部および下部にそれぞれ配置された一対の当接体７０，７０と、該当接体７０に連続して形成された押圧体７１であって、ケーブル挿通路４の開口端４ａの周囲外壁面２０に取り付けられた押圧体７１と、を備えている。なお、挿通体装着具７は、ケーブルＣ１〜Ｃ３，Ｃ１０〜Ｃ３０の線種や太さに応じて個別に作製されており、ケーブルＣ１〜Ｃ３，Ｃ１０〜Ｃ３０の線種や太さに応じて適宜選択して使用される。
【００２９】
当接体７０は、円弧状で、電源側のケーブル挿通路４０の開口端４ａ側および負荷側のケーブル挿通路４１の開口端４ａ側に配置される押さえ板６０１の被押圧面６０２の上部および下部のそれぞれにあてがわれる。
【００３０】
押圧体７１は、断面Ｌ字形状で、当接体７０における、ケーブル挿通路４の開口端４ａ側の一面に連続して形成された横板部７１ａと、縦板部７１ｂとを有する。
【００３１】
横板部７１ａは、当接体７０におけるケーブル挿通路４の開口端４ａ側の面に取り付けられてケーブル挿通路４の長手方向に沿っており、ケーブル挿通路４の開口端４ａからオフセットの位置を確保するための長さを有する。
【００３２】
縦板部７１ｂは、横板部７１ａにおけるケーブル挿通路４の開口端４ａ側に取り付けられて横板部７１ａに直交する縦方向（直交方向）に沿っている。また、縦板部７１ｂは、ケーブル挿通路４の開口端４ａの周囲外壁面２０に対応する位置（本実施形態では当接する位置）までケーブル挿通体６をケーブル挿通路４内に押し込むことで、縦板部７１ｂをケーブル挿通体６の押し込み位置の基準として用いることができる。
【００３３】
また、縦板部７１ｂは、ケーブル挿通路４の内周面とケーブルＣ１〜Ｃ３，Ｃ１０〜Ｃ３０の外周面との間隙を、所定の間隔に保持する長さを有する。すなわち、ケーブル挿通路４の軸線と、電源側のケーブルＣ１〜Ｃ３の軸線および負荷側のケーブルＣ１０〜Ｃ３０の軸線とが一致する長さを有する。
【００３４】
締結部材は、一方の押さえ板６０１、パッキン６００、他方の押さえ板６０１を貫通するボルトＢと、該ボルトＢに螺合するナットＮとを備える。該ナットＮを締め付けることで、一対の押さえ板６０１，６０１が互いに近接する方向に移動し、一対の押さえ板６０１，６０１の近接により、パッキン６００が両側から押圧されて径外方向および径内方向に膨出し、電源側ケーブルＣ１〜Ｃ３の外周面とパッキン６００の空洞６００ａの内周面と、パッキン６００の外周面と電源側のケーブル挿通路４０の内周面との間隙、および、負荷側ケーブルＣ１０〜Ｃ３０の外周面と前記空洞６００ａの内周面と、パッキン６００の外周面と負荷側のケーブル挿通路４１の内周面との間隙をシールする。
【００３５】
筒体８は、上下に分割可能に構成された一対の分割体８０ａ，８０ｂであって、締結された状態では、略円錐台を呈する一対の分割体８０ａ，８０ｂと、該一対の分割体８０ａ，８０ｂを締結するための複数の締結部材とを備える。
【００３６】
締結された一対の分割体８０ａ，８０ｂの内径は、ケーブル挿通路４の開口端４ａに対向する小径の開口部８００と、ケーブル挿通路４の開口端４ａとは反対側に配置された大径の開口部８０１と、小径の開口部８００と大径の開口部８０１との間に連続して形成されたテーパー状の側面部８０２とを有し、該側面部８０２によって、筒体８の内径は、前記開口端４ａとは反対側に向かうにしたがって順次大きく開口している。そして、筒体８は、側面部８０２によってケーブルＣ１〜Ｃ３，Ｃ１０〜Ｃ３０をケーブル挿通路４から急激な角度変化を抑制しつつマンホール２内に導出することができる。具体的に、ケーブルＣ１〜Ｃ３，Ｃ１０〜Ｃ３０を緩やかに湾曲させてマンホール２内に導出することができる。
【００３７】
上側の分割体８０ａの外面の前部および後部には、下側の分割体８０ｂと連結するための一対の筒状の上締結部８１ａ，８１ａが上下方向に配置されている。
【００３８】
下側の分割体８０ｂの前部および後部には、前記一対の上締結部８１ａ，８１ａに対応する位置に一対の下締結部８１ｂ，８１ｂが配置されている。下側の分割体８０ｂの中央部には、筒体８を支持するための支持部材８２ｂが水平方向に配置されている。
【００３９】
支持部材８２ｂは、ケーブル接続用筐体３に取り付けられたアングル材９によって水平支持されている。
【００４０】
締結部材は、下締結部８１ｂから上締結部８１ａに挿通されたボルトＢと、上締結部８１ａから導出されたボルトＢのねじ部に螺合するナットＮとを備える。
【００４１】
つぎに、本実施形態に係る電力ケーブル支持装置について説明する。なお、本実施形態では、電源側のケーブルＣ１〜Ｃ３および負荷側のケーブルＣ１０〜Ｃ３０をオフセットの位置を設定する場合について説明する。
【００４２】
マンホール２において、電源側のケーブル挿通路４０の開口端４ａの内面および負荷側のケーブル挿通路４１の開口端４ａの内面のそれぞれに防水栓６が取り付けられ、電源側のケーブル挿通路４０の開口端４ａおよび負荷側のケーブル挿通路４１の開口端４ａから離間した位置に筒体８が配置されているものとする。
【００４３】
この状態において、電源側のケーブルＣ１〜Ｃ３および負荷側のケーブルＣ１０〜Ｃ３０を張替作業する場合、作業者は、電源側のケーブルＣ１〜Ｃ３および負荷側のケーブルＣ１０〜Ｃ３０のそれぞれに挿通された防水栓６の位置を、電源側のケーブル挿通路４０の開口端４ａおよび負荷側のケーブル挿通路４１の開口端４ａよりも奥側に配置するように、電源側のケーブル挿通路４０の開口端４ａの周囲外壁面２０および負荷側のケーブル挿通路４１の開口端４ａの周囲外壁面２０に挿通体装着具７の押圧体７１の縦板部７１ｂを当接させる。
【００４４】
電源側のケーブル挿通路４０の開口端４ａおよび負荷側のケーブル挿通路４１の開口端４ａのそれぞれの周囲外壁面２０に、挿通体装着具７の縦板部７１ｂを当接させることで、この当接位置を基準にして、ケーブル挿通体６をオフセットの基準位置にセットすることができる。これにより、電源側のケーブルＣ１〜Ｃ３および負荷側のケーブルＣ１０〜Ｃ３０における必要なオフセット量を確保できる。
【００４５】
一方、電源側の筒体８は、電源側の防水栓６を電源側のケーブル挿通路４０の開口端４ａよりも奥側に押し込んだ分、前記開口端４ａ側に移動して配置され、負荷側の筒体８は、負荷側の防水栓６を負荷側のケーブル挿通路４１の開口端４ａよりも奥側に押し込んだ分、前記開口端４ａ側に移動して配置される。これにより、電源側のケーブルＣ１〜Ｃ３および負荷側のケーブルＣ１０〜Ｃ３０が前記開口端４ａの周囲外壁面２０に当たることがなく、マンホール２内に導入される。
【００４６】
以上のように、本実施形態に係る電力ケーブル支持装置によれば、ケーブルの張替に伴うオフセットの確保を、既設のマンホールを用いて極めて容易に行うことができる。
【００４７】
なお、本発明に係る電力ケーブル支持装置は、前記実施形態に限定することなく種々変更することができる。
【００４８】
例えば、前記実施形態の場合、マンホール２の略中央部に接続箱５を配置したオフセット構造について説明したが、接続箱５のない場合で、電源側のケーブル挿通路４０からマンホール２を通って負荷側のケーブル挿通路４１に配線されたケーブルについても、前記実施形態の場合と同様に、電源側のケーブル挿通路４０内および負荷側のケーブル挿通路４１内のそれぞれにオフセットの位置を設定することもできる。
【００４９】
また、前記実施形態の場合、電源側のケーブルＣ１〜Ｃ３および負荷側のケーブルＣ１０〜Ｃ３０を張替する場合について説明したが、いずれか一方のケーブルを張替する場合であってもよい。
【００５０】
また、前記実施形態の場合、挿通体装着具７の縦板部７１ｂを、ケーブル挿通体６に対して径外方向に延出するようにしたが、電源側のケーブルＣ１〜Ｃ３および負荷側のケーブルＣ１０〜Ｃ３０を挿通できるように径内方向に延出するようにしてもよい。要は、縦板部７１ｂを介して、ケーブル挿通体６をケーブル挿通路４内の所定の位置まで押し込むことができればよい。
【００５１】
また、前記実施形態の場合、挿通体装着具７の当接体７０および押圧体７１を一体としたが、別体であってもよい。この場合、押圧体７１を繰り返し使用することができる。
【００５２】
また、前記実施形態の場合、横板部７１ａの長さを１つとしたが、オフセットの位置に応じて複数の長さのものを作製して、適宜選択して使用するようにしてもよい。
【００５３】
また、前記実施形態の場合、縦板部７１ｂは、ケーブル挿通体を前記ケーブル挿通路の所定位置まで押し込んだ際に、前記側壁における前記開口端４ａの周囲外壁面２０に当接するものであるとしたが、ボルトで固定するようにしてもよい。
【符号の説明】
【００５４】
１…電力ケーブル支持装置、２…マンホール、３…ケーブル接続用筐体、４…ケーブル挿通路、４ａ…開口端、４０…電源側のケーブル挿通路、４１…負荷側のケーブル挿通路、５…接続箱、６…防水栓、７…挿通体装着具、７０…当接体、７１…押圧体、７１ａ…横板部、７１ｂ…縦板部、８…筒体、９…アングル材、Ｃ１〜Ｃ３…電源側ケーブル、Ｃ１０〜Ｃ３０…負荷側ケーブル、Ａ…マンホールの構造、Ｂ…ボルト、Ｎ…ナット
【図１】
0006745060.tif 000002
【図２】
0006745060.tif 000003
【図３】
0006745060.tif 000004
【図４】
0006745060.tif 000005